(57)【要約】【課題】  光の照射方向を自在とする実用性に優れる棒状タイプのＬＥＤ照明装置の提供。【解決手段】  断面形態が正円である筒状ケース５の周壁部１０に長手方向に沿って光照射開口１５が設けられるともに、筒状ケース５内に光照射開口１２に沿って相対するように複数個のＬＥＤ１８が並設配置されてなる照明装置本体３と、筒状ケース５をその筒軸を回転軸とする適宜の回転位置において保持可能な保持部１３を備える取り付け具６とを備えてなることを特徴とするＬＥＤ照明装置。【選択図】図１
0003150817.tif 000002
【実用新案登録請求の範囲】
【請求項１】
断面形態が正円である筒状ケースの周壁部に長手方向に沿って光照射開口が設けられるともに、前記筒状ケース内に前記光照射開口に沿って相対するように複数個のＬＥＤが並設配置されてなる照明装置本体と、
前記筒状ケースをその筒軸を回転軸とする適宜の回転位置において保持可能な保持部を備える取り付け具と、
を備えてなることを特徴とするＬＥＤ照明装置。
【請求項２】
前記ＬＥＤ点灯のための交流／直流変換電源回路を内蔵する請求項１記載のＬＥＤ照明装置。
【考案の詳細な説明】
【技術分野】
【０００１】  この考案は、複数個のＬＥＤが並設配置されて構成される棒状タイプのＬＥＤ照明装置に関する。
【背景技術】
【０００２】  最近ではＬＥＤを使用する種々形態の照明装置が提供されているが、ＬＥＤの光は指向性が強く照射光が広がりにくい性質を持つので、固定して取り付けられた場合には広い範囲を照射できにくい問題がある。
【考案の開示】
【考案が解決しようとする課題】
【０００３】  この考案では、光の照射方向を自在とする実用性に優れる棒状タイプのＬＥＤ照明装置を提供することを目的とする。
【課題を解決するための手段】
【０００４】  この考案では、断面形態が正円である筒状ケースの周壁部に長手方向に沿って光照射開口が設けられるともに、前記筒状ケース内に前記光照射開口に沿って相対するように複数個のＬＥＤが並設配置されてなる照明装置本体と、前記筒状ケースをその筒軸を回転軸とする適宜の回転位置において保持可能な保持部を備える取り付け具とを備えてなることを特徴とするＬＥＤ照明装置を提供する。【０００５】  上記構成のＬＥＤ照明装置によれば、壁等の被取り付け面に取り付けられた取り付け具に照明装置本体がその筒状ケースの筒軸を回転軸とする適宜の回転位置において保持される。これにより、その光照射開口が所望の方向とするように取り付けられることができてＬＥＤによる効率の良い照明が可能となる。照射方向の変更、修正も容易になされる。【０００６】保持具は照明装置本体の筒状ケースをその筒軸を回転軸とする適宜の回転位置において保持可能な保持部を備える構成であれば適宜の形態であってよく、また、壁面等に直接取り付けられるものであっても、照明機器に取り付けられるものであってもよい。【０００７】  ＬＥＤ照明装置にＬＥＤ点灯のための交流／直流変換電源回路を内蔵する構成とすることで、別途交流／直流変換器を用いることなく電源回路家庭用コンセントからの電源コードを直接に接続して使用することができる。
【考案の効果】
【０００８】  この考案によれば、光の照射方向を自在とする使用に便利な棒状タイプのＬＥＤ照明装置が得られる。
【考案を実施するための形態】
【０００９】  図１はこの考案のＬＥＤ照明装置の実施形態の外観斜視図、図２は同分解部分図、図３は同断面図、図４は同回路構成図である。
【００１０】  ＬＥＤ照明装置１は、照明装置本体３とそれを壁面等に取り付ける一対の取り付け具６とからなる。照明装置本体３は断面形態が正円であるアルミニウム製の筒状ケース５内にＬＥＤユニット７及び電源回路ユニット８が納められるとともに、筒状ケース５の両端にプラスチックス製のサイドキャップ９が装着されて構成されている。
【００１１】  上記筒状ケース５の周壁部１０には長手方向に沿って光照射開口１２が設けられ、その光照射開口１２にはプラスチックス製の透明カバー１５が装着されている。上記ＬＥＤユニット７はアルミニウム製のベースプレート１４と、ベースプレート１４上に沿って配置固定される細幅の回路基板１６と、回路基板１６上に所定の間隔をおいて並設搭載される複数個のＬＥＤ１８とからなる。上記電源回路ユニット８は、管体１１内にトランジスター、コンデンサ、抵抗、コイル等の各種電子部品１７が納められて構成されている。上記サイドキャップ９の一方のものはＬＥＤ１８への電源供給のためのコネクタとしても機能する。
【００１２】  取り付け具６は相対する一対の保持片１３を備え、その保持片１３の内側面は湾曲して上記筒状ケース５の外周面に合致する形状となり、その間に筒状ケース５を弾力的に保持できるようになっている。基部にはネジ固定孔１９が設けられている。
【００１３】  次に、照明装置本体３の組み立て構成を説明する。まず、サイドキャップ９のコネクタと電源回路ユニット８間、電源回路ユニット８とＬＥＤユニット７間がリード線２０、２１それぞれにより接続され、その接続された状態において両ユニット７、８が筒状ケース５内に差し入れられ、サイドキャップ９それぞれが筒状ケース５の両端に嵌合されて取り付けられる。その際ＬＥＤユニット７はそのＬＥＤ１８のそれぞれが光照射開口１２に沿って相対するように配置され、そのＬＥＤユニット７の下側に電源回路ユニット８が配置され、ＬＥＤユニット７はその両端２５がサイドキャップ９の固定溝２６に側方から嵌入されることで所定位置に配置され、電源回路ユニット８はリード線２０、２１それぞれで支持される状態で設けられている。
【００１４】  次に、ＬＥＤ照明装置１の取り付けについて説明する。まず、壁等の被取り付け面３０にネジ３１により取り付け具６のそれぞれを所定の高さに、かつ、所定の間隔をおいて取り付ける。次に、それら取り付け具６の保持片１３それぞれを若干開くようにしてその間に照明装置本体３の筒状ケース５を嵌め入れ、一方のサイドキャップ９の電源の導入端子が配置されたコネクタ凹部に電源コード３３のコネクタ３４を嵌入接続する。この状態において、照明装置本体３は取り付け具６それぞれに弾力的に、かつ、回転が可能なように保持されており、回転させることで使用者はその光照射開口１２を所望の方向とする。
【００１５】  電源コード３３をコンセントに接続することで電源回路ユニット８を介して直流電源が与えられてＬＥＤ１８それぞれは点灯し、その照射光により所望位置が明るく照明される。照射方向の変更、修正は照明装置本体３をその軸方向において回転させることで容易に行える。
【００１６】  図５は他の実施形態の使用状態を示し、照明装置本体１０３どうしが直接連結された構成を示している。図６はその連結構成の説明図である。
【００１７】  ここに用いられる照明装置本体１０３における基本構成は上記実施形態のものと同様で、以下の点において異なる。まず、筒状ケース１０５において光照射開口１１２が両端に至るまで形成され、ＬＥＤ基板１１６の端部に搭載されるＬＥＤ１１８が照明装置本体１０３の端部に近くなるように配置されている。次に、電源の導入端子の配置されたコネクタ凹部１２１を備えるサイドキャップ１０９と逆側のサイドキャップ１０９に電源の導出端子の配置されたコネクタ凹部１２０を設けている。
【００１８】  上記構成により、接続アダプタ２００の一端側が左方の照明装置本体１０３のコネクタ凹部１２０に、他端側が右方の照明装置本体１０３のコネクタ凹部１２１にそれぞれ嵌入されることで照明装置本体１０３どうしが機械的、かつ、電気的に連結される。このように照明装置本体１０３が直接に所望の数接続できるようにして、商業施設等において帯状の照明が容易に行えるようにしている。なお、図６に示す接続コード２０１を接続使用することによっても照明装置本体１０３どうしが電気的に連結され、これにより同一電源を使用して複数個の照明装置本体１０３を同時使用できる。
【００１９】  図７は上記連結時の回路構成を示し、電源コード１３３に接続される照明装置本体１０３から順次後段に接続される照明装置本体１０３に交流電源が与えられるようになっている。図７における要素において図４と同一の番号を付したものは、図４の要素と同様の機能を発揮する。
【００２０】  さらに、この実施形態においては、照明装置本体１０３どうしが接続アダプタ２００が連結部に内蔵されてサイドキャップ１０９どうしが当接する状態に連結されることで、以下に説明するように優れた照明機能を発揮する。
【００２１】  上記帯状の照明が美しく行われる条件として、その帯状形態に沿って照明が途切れることなく均一になされることがあげられる。すなわち、ＬＥＤを使用する帯状の照明の場合、並設されるＬＥＤそれぞれの配置が全て等間隔で行われることが望ましい。通常、上記のように照明装置本体１０３どうしを連結する場合には、照明装置本体１０３の互いに連結される端部に位置するＬＥＤ１１８どうしの間隔がどうしても遠くなり、その部分において照明が均一になされなく恐れがあるが、この実施形態においてはその問題を解消している。サイドキャップ１０９どうしが当接する状態に連結され、かつ、上記したようにＬＥＤ基板１１６の端部に搭載されるＬＥＤ１１８が照明装置本体１０３の端部に近くなるように配置したことで、一方のＬＥＤ基板１１６の端部に搭載されるＬＥＤ１１８と他方のＬＥＤ基板１１６の端部に搭載されるＬＥＤ１１８とが互いが近くなるように配置でき、その配置間隔距離Ｘを同一のＬＥＤ基板上１１６のＬＥＤ１１８の配置間隔距離Ｙと同じとすることで、全体均一な帯状照明が可能となる。
【図面の簡単な説明】
【００２２】
【図１】この考案のＬＥＤ照明装置の実施形態の外観斜視図
【図２】この考案のＬＥＤ照明装置の実施形態の分解部分図
【図３】この考案のＬＥＤ照明装置の実施形態の断面図
【図４】この考案のＬＥＤ照明装置の実施形態の回路構成図
【図５】この考案のＬＥＤ照明装置の他の実施形態の使用状態説明図
【図６】この考案のＬＥＤ照明装置の他の実施形態における連結構成説明図
【図７】この考案のＬＥＤ照明装置の他の実施形態における連結時回路構成図
【符号の説明】
【００２３】１    ＬＥＤ照明装置
３    照明装置本体
５    筒状ケース
６    取り付け具
１０  周壁部
１２  光照射開口
１３  保持片（保持部）
１８  ＬＥＤ
【図１】
0003150817.tif 000003
【図２】
0003150817.tif 000004
【図３】
0003150817.tif 000005
【図４】
0003150817.tif 000006
【図５】
0003150817.tif 000007
【図６】
0003150817.tif 000008
【図７】
0003150817.tif 000009